(57)【特許請求の範囲】
【請求項１】
左チャンネル用映像信号と右チャンネル用映像信号を入力する入力部と、
前記入力部に入力した左チャンネル用映像信号と右チャンネル用映像信号とのタイミングのずれを補正する同期処理を行う同期処理部と、
前記同期処理部で同期処理が行われた左チャンネル用映像信号と右チャンネル用映像信号との映像信号成分を、指示されたタイミングで切替えるとともに、前記左チャンネル用映像信号の同期信号成分及び前記右チャンネル用映像信号の同期信号成分のうちの何れか一方の同期信号成分を選んで出力する切替え処理部と、
前記左チャンネル用映像信号の同期信号成分及び前記右チャンネル用映像信号の同期信号成分が同期しているか否かを判断して、前記判断の結果を出力する遅延量判別処理部と、
前記切替え処理部で選択する映像信号の設定を、指示されたモードに応じて行うとともに、前記遅延量判別処理部による前記判断の結果が、前記左チャンネル用映像信号の同期信号成分及び前記右チャンネル用映像信号の同期信号成分が同期していることを示すものであった場合に、前記切替え処理部に対して、前記左チャンネル用映像信号及び前記右チャンネル用映像信号の切替えだけを行わせ、前記同期信号成分の切替えは行わせずに前記選択中の同期信号成分の出力を継続して行わせる制御部と、
前記切替え処理部で選択された映像信号を出力する出力部とを備えた
映像処理装置。
【請求項２】
前記制御部は、複数の所定フレーム数ごとに、前記左チャンネル用映像信号と前記右チャンネル用映像信号とを切替え処理部で交互に選択させる
請求項１記載の映像処理装置。
【請求項３】
前記切替え処理部で交互に選択させる左チャンネル用映像信号と右チャンネル用映像信号とは、前記入力部に入力した映像信号をメモリに記憶させた動画又は静止画としての映像信号であり、前記出力部からメモリに記憶された映像信号を繰り返し出力させる
請求項２記載の映像処理装置。
【請求項４】
前記制御部での制御により、前記左チャンネル用映像信号と右チャンネル用映像信号の少なくともいずれか一方の信号について、水平方向又は垂直方向にシフトさせて出力させる調整を可能とした
請求項３記載の映像処理装置。
【請求項５】
前記出力部から出力させる映像信号には、前記左チャンネル用映像信号と右チャンネル用映像信号のいずれのチャンネルの映像であるかを示す文字又は図形を付加させる
請求項１から４のいずれか１項に記載の映像処理装置。
【請求項６】
左チャンネル用映像信号と右チャンネル用映像信号を入力する入力部と、
前記入力部に入力した左チャンネル用映像信号と右チャンネル用映像信号とのタイミングのずれを補正する同期処理を行う同期処理部と、
前記同期処理部で同期処理が行われた左チャンネル用映像信号と右チャンネル用映像信号との映像信号成分を、指示されたタイミングで切替え、前記左チャンネル用映像信号の同期信号成分及び前記右チャンネル用映像信号の同期信号成分のうちの何れか一方の同期信号成分を選んで出力する切替え処理部と、
前記左チャンネル用映像信号の同期信号成分及び前記右チャンネル用映像信号の同期信号成分が同期しているか否かを判断して、前記判断の結果を出力する遅延量判別処理部と、
前記切替え処理部で選択する映像信号の設定を、指示されたモードに応じて行うとともに、前記遅延量判別処理部による前記判断の結果が、前記左チャンネル用映像信号の同期信号成分及び前記右チャンネル用映像信号の同期信号成分が同期していることを示すものであった場合に、前記切替え処理部に対して、前記左チャンネル用映像信号及び前記右チャンネル用映像信号の切替えだけを行わせ、前記同期信号成分の切替えは行わせずに前記選択中の同期信号成分の出力を継続して行わせる制御部と、
前記切替え処理部で選択された映像信号を表示する表示部とを備えた
表示装置。
【請求項７】
入力した左チャンネル用映像信号と右チャンネル用映像信号とのタイミングのずれを補正する同期処理と、
前記同期処理が行われた左チャンネル用映像信号と右チャンネル用映像信号とを、指示されたタイミングで切替えるとともに、前記左チャンネル用映像信号の同期信号成分及び前記右チャンネル用映像信号の同期信号成分のうちの何れか一方の同期信号成分を選んで出力する切替え処理と、
前記左チャンネル用映像信号の同期信号成分及び前記右チャンネル用映像信号の同期信号成分が同期しているか否かを判断して、前記判断の結果を出力する遅延量判別処理と、
前記切替え処理で選択する映像信号の設定を、指示されたモードに応じて行うとともに、前記判断の結果が、前記左チャンネル用映像信号の同期信号成分及び前記右チャンネル用映像信号の同期信号成分が同期していることを示すものであった場合に、前記左チャンネル用映像信号及び前記右チャンネル用映像信号の切替えだけを行わせ、前記同期信号成分の切替えは行わせずに前記選択中の同期信号成分の出力を継続して行わせる制御処理と、
前記切替え処理で選択された映像信号を表示する表示処理とを行う
表示方法。
【請求項８】
入力した左チャンネル用映像信号と右チャンネル用映像信号とのタイミングのずれを補正する同期処理と、
前記同期処理が行われた左チャンネル用映像信号と右チャンネル用映像信号との映像信号成分を、指示されたタイミングで切替えるとともに、前記左チャンネル用映像信号の同期信号成分及び前記右チャンネル用映像信号の同期信号成分のうちの何れか一方の同期信号成分を選んで出力する切替え処理と、
前記左チャンネル用映像信号の同期信号成分及び前記右チャンネル用映像信号の同期信号成分が同期しているか否かを判断して、前記判断の結果を出力する遅延量判別処理と、
前記切替え処理で選択する映像信号の設定を、指示されたモードに応じて行うとともに、前記判断の結果が、前記左チャンネル用映像信号の同期信号成分及び前記右チャンネル用映像信号の同期信号成分が同期していることを示すものであった場合に、前記左チャンネル用映像信号及び前記右チャンネル用映像信号の切替えだけを行わせ、前記同期信号成分の切替えは行わせずに前記選択中の同期信号成分の出力を継続して行わせる制御処理と、
前記切替え処理で選択された映像信号を表示する表示処理とを、
コンピュータ装置に実装して実行させる
プログラム。
【発明の詳細な説明】
【技術分野】
【０００１】
本発明は、立体表示用の映像信号を処理する映像信号処理装置、及び処理された映像信号を表示する表示装置、並びにその表示装置での表示処理に適用される表示方法、並びにその表示方法を実行するプログラムに関する。
【背景技術】
【０００２】
従来、立体表示（３Ｄ表示）用の映像信号を、モニタディスプレイなどの表示装置に供給して表示させる場合、左チャンネル用の映像信号と、右チャンネル用の映像信号を表示装置に供給する。そして、それぞれのチャンネルの映像信号による映像を、表示装置を見ている者の左右の目で個別に見えるようにしている。
例えば、表示装置を見ている者は、１フレームごとに左目側と右目側とでシャッタが交互に開閉する眼鏡型の液晶シャッタ装置を装着する。そして、左チャンネル用の映像と右チャンネル用の映像とを、１フレームごとに交互に表示装置で表示させ、１フレームごとに交互に左右のシャッタを開閉させて、左右の目でそれぞれのチャンネルの映像信号による映像を認識させる。あるいは、表示装置側での処理により、特殊な眼鏡などを装着することなく、立体視できる方式もある。表示方式としては、上述した１フレームごとの左チャンネル用の映像と右チャンネル用の映像と切り換え以外に、例えば１水平ラインごとに左右のチャンネルの映像を切り換える方式など、様々な方式がある。
【０００３】
このような立体視を行うディスプレイは、３Ｄ表示用の専用のディスプレイを必要とするが、カメラ装置で撮像を行う際には、３Ｄ表示用の専用のディスプレイを使用できない環境であることが多い。このような場合には、通常の２Ｄ表示用のディスプレイを使用して、そのディスプレイに、左チャンネルの映像と、右チャンネルの映像を入力させて、その入力した２つの映像信号による映像を、交互に切替えて表示させて確認することになる。
【０００４】
図８は、従来のディスプレイに２つのチャンネルの映像を交互に切替えて供給するための画像処理装置１０の構成を示したものである。図８では画像処理装置１０と画像表示装置２０を別体として示してあるが、一体に構成される場合もある。
画像処理装置１０は、第１入力端子１１と第２入力端子１２とを備え、両入力端子１１，１２に得られる映像信号を、映像切替え処理部１３に供給する。映像切替え処理部１３は、切替スイッチを備え、第１入力端子１１に得られる信号を第１接点１３ａに供給し、第２入力端子１２に得られる信号を第２接点１３ｂに供給し、可動接点１３ｍで何れか一方の接点の信号を選ぶ。この切替スイッチの切替えは、制御手段であるＣＰＵ１４の制御で実行される。
【０００５】
映像切替え処理部１３で選択された映像信号は、映像信号処理回路１５及び同期分離回路１６に供給する。映像信号処理回路１５では、映像信号の映像（画像）部分について、適正に表示させるための処理を行う。そして、処理された映像信号を画像表示装置２０に供給する。
また、同期分離回路１６では、供給される映像信号から同期信号成分を分離し、その分離した同期信号成分を、画像表示装置２０に供給する。画像表示装置２０では、この同期信号成分に同期させながら、映像（画像）の表示処理を行う。
なお、同期分離回路１６で分離した同期信号は、信号判別回路１７に供給して、同期タイミングの判別処理を行い、その判別結果をＣＰＵ１４に供給する。ＣＰＵ１４は、その判別したタイミングに同期した状態で、映像切替え処理部１３での切替えを行う。
【０００６】
ＣＰＵ１４の制御で、映像切替え処理部１３で映像信号を別系統の映像信号に切替える際には、切替え時の表示映像の乱れを防止するために、画ミュートと称される処理を一時的に行うようにしてある。この画ミュート処理は、例えば第１の映像信号から第２の映像信号に切替える場合を想定すると、第１の映像信号の最後のフレームを表示させた後、１フレーム又は数フレームの期間、全面黒の映像を表示させる。そして、その全面黒の映像を表示させた後、第２の映像信号による映像を表示させる。
【０００７】
図９は、この表示状態の概要を示した図である。第１入力の映像から第２入力の映像に切り替わる際に、少なくとも１フレーム期間、全面黒の画ミュートの映像が表示される。
この画ミュート処理は、例えばテレビジョン受像機のような表示装置の場合でも、チャンネル切替え時や外部入力切替え時などに、一般的に行われている技術である。
【０００８】
特許文献１には、画ミュート処理を行うテレビジョン受像機の例についての記載がある。
【先行技術文献】
【特許文献】
【０００９】
【特許文献１】特開平３−１９１６８２号公報
【発明の概要】
【発明が解決しようとする課題】
【００１０】
ところで、通常の映像切替え処理時には、画ミュート処理を行うようにすると、上述したように、立体表示用の左右のチャンネルの映像を、１つの表示装置で交互に表示させるような表示形態では、立体表示用の映像の表示を邪魔することになる場合がある。
即ち、例えば左チャンネル用の映像と、右チャンネル用の映像とを、１つの画面上に交互に表示させるような場合、その切替えごとに、一旦、全面黒の画ミュートの映像が表示されると、左右のチャンネルの映像の迅速な比較を阻害する要因になってしまう。特に、比較的短い周期で、２つのチャンネルの映像を交互に切替えようにすると、全面黒の映像が表示される期間が比較的多くなり、非常に見づらい映像になってしまう。
【００１１】
本発明はかかる点に鑑みてなされたものであり、通常の２Ｄ表示用の表示装置を使用して、立体視を行う映像などの確認が良好に行えるようにすることを目的とする。
【課題を解決するための手段】
【００１２】
本発明は、入力した左チャンネル用映像信号と右チャンネル用映像信号とのタイミングのずれを補正する同期処理を行う。そして、その同期処理が行われた左チャンネル用映像信号と右チャンネル用映像信号との映像信号成分を、指示されたタイミングで切替えるとともに、左チャンネル用映像信号の同期信号成分及び右チャンネル用映像信号の同期信号成分のうちの何れか一方の同期信号成分を選んで出力する切替え処理を行う。また、左チャンネル用映像信号の同期信号成分及び右チャンネル用映像信号の同期信号成分が同期しているか否かを判断して、判断の結果を出力する遅延量判別処理と、判断の結果が、左チャンネル用映像信号の同期信号成分及び右チャンネル用映像信号の同期信号成分が同期していることを示すものであった場合に、左チャンネル用映像信号及び右チャンネル用映像信号の切替えだけを行わせ、同期信号成分の切替えは行わせずに選択中の同期信号成分の出力を継続して行わせる制御処理とを行う。そして、切替え処理で選択された映像信号を表示装置で表示するようにしたものである。
【００１３】
このようにしたことで、立体視を行うための左右のチャンネルの映像信号について、同期したタイミングで、任意のフレーム周期などで、必要なチャンネルの映像信号を選択して表示させることが可能になる。表示される映像は、左右のチャンネルで同期処理が行われると共に、同期信号が切り替わらない信号による映像であるので、一般的な映像切替え時に必要な画ミュートなどの処理を行うことなく、切替えが可能になる。
【発明の効果】
【００１４】
本発明によると、表示モードの設定などで、入力した左チャンネル用映像信号と右チャンネル用映像信号の内の所望の映像信号による映像を、所望の切替え状態として、１つの表示装置の画面上に表示させることが可能になる。従って、左チャンネルの映像と、右チャンネルの映像との比較が、３Ｄ表示機能のない表示装置で簡単かつ正確に行えるようになる。
【図面の簡単な説明】
【００１５】
【図１】本発明の一実施の形態による全体構成例を示すブロック図である。
【図２】本発明の一実施の形態による水平移動処理構成例を示すブロック図である。
【図３】図２の構成による動作例を示すタイミング図である。
【図４】本発明の一実施の形態による表示モード設定例を示すフローチャートである。
【図５】立体映像の表示処理の概要を示す説明図である。
【図６】本発明の一実施の形態による各モードでの表示例を示す説明図である。
【図７】本発明の一実施の形態による動画の表示変化例（例１及び例２）を示す説明図である。
【図８】従来の映像切替え処理構成例を示すブロック図である。
【図９】画ミュート処理を行う場合の表示状態を示す説明図である。
【発明を実施するための形態】
【００１６】
本発明の実施の形態を、以下の順序で説明する。
１．一実施の形態の全体構成例（図１）
２．一実施の形態の水平移動処理構成例（図２）
３．各表示状態の説明（図３〜図７）
【００１７】
［１．一実施の形態の全体構成例］
以下、図１を参照して、本実施の形態の装置構成例について説明する。
本実施の形態においては、立体視を行う映像信号である、左チャンネル用映像信号と右チャンネル用映像信号との供給を受けて、処理するシステムとしてある。即ち、例えば図示しない左チャンネル用カメラ装置と右チャンネル用カメラ装置とで被写体を撮像して、左チャンネル用映像信号と右チャンネル用映像信号とを生成させ、その左チャンネル用映像信号と右チャンネル用映像信号の供給を受ける。
【００１８】
図１に示した画像処理装置１００は、映像信号の入力部である第１入力端子１０１と第２入力端子１０２とを備え、この第１入力端子１０１と第２入力端子１０２とに、その左チャンネル用映像信号と右チャンネル用映像信号とが入力される。第１入力端子１０１と第２入力端子１０２には、左チャンネル用カメラ装置と右チャンネル用カメラ装置が撮像して出力する映像信号を直接入力させるか、あるいは、何らかの記録装置に一旦記録された映像信号を入力させてもよい。
【００１９】
第１入力端子１０１に入力した映像信号と、第２入力端子１０２に入力した映像信号は、映像信号遅延吸収回路１１１に供給して、それぞれの映像信号成分のタイミングを一致させる遅延吸収処理を行う。ここでの映像信号成分とは、入力した映像信号から同期信号区間を除いた、映像（画像）の成分の区間の信号である。
また、第１入力端子１０１に入力した映像信号の同期信号成分を、同期分離回路１２１で分離し、第２入力端子１０２に入力した映像信号の同期信号成分を、同期分離回路１２２で分離する。同期信号成分とは、映像信号に含まれる垂直ブランキング期間の信号及び水平ブランキング期間の信号である。
そして、それぞれの同期分離回路１２１，１２２で得られた同期信号成分を、同期信号遅延吸収回路１２３に供給し、２つの同期信号のタイミングを一致させる遅延吸収処理を行う。
映像信号遅延吸収回路１１１での遅延吸収処理と、同期信号遅延吸収回路１２３での遅延吸収処理は、同期して行われる。この遅延吸収処理の詳細は、後述する。
【００２０】
映像信号遅延吸収回路１１１でタイミングが一致した左チャンネルの映像信号と、右チャンネルの映像信号は、画像切替え処理部１１２内の切替スイッチの一方及び他方の固定接点１１２ａ及び１１２ｂに供給する。そして、画像切替え処理部１１２内の切替スイッチの可動接点１１２ｍに得られる映像信号を、後段の映像信号処理回路１１３に供給し、映像信号処理回路１１３で処理された映像信号を、出力部である映像出力端子１１４に供給する。
【００２１】
また、同期信号遅延吸収回路１２３でタイミングが一致した左チャンネルの同期信号と、右チャンネルの同期信号は、同期信号切替え処理部１２４内の切替スイッチの一方及び他方の固定接点１２４ａ及び１２４ｂに供給する。そして、同期信号切替え処理部１２４内の切替スイッチの可動接点１２４ｍに得られる同期信号を、出力部である同期信号出力端子１２５に供給する。
【００２２】
画像切替え処理部１１２と同期信号切替え処理部１２４は、制御手段であるＣＰＵ１３１からの指示で、同期して切替え処理を行うようにしてある。この場合、同期信号遅延吸収回路１２３で処理した同期信号を遅延量判別回路１２７に供給して、その遅延量判別回路１２７で２つの同期信号のタイミングを判断して、ＣＰＵ１３１に２つの同期信号が一致しているか否かのタイミングデータを供給する。そして、ＣＰＵ１３１では、そのタイミングデータで同期が取れていると判断した場合に、画像切替え処理部１１２で切替えを行うと共に、同期信号切替え処理部１２４で何れか一方の同期信号を選択させる。映像信号と同期信号とが同期している状態で映像を切替える際には、画像切替え処理部１１２で映像信号の切替えだけを行い、同期信号切替え処理部１２４では、いずれか一方の同期信号を継続して出力させて、同期信号の切替えを行わない。
このように映像信号と同期信号のタイミングを揃えて切替えることで、映像信号だけを切り替える、つまり同期信号を変化させずに切替を実現できるため、映像表示に乱れを生じさせないので画ミュートが不要となる。このため、切り替え時に従来例として説明した画ミュート用の黒映像を挿入させる必要はない。
【００２３】
また、同期信号切替え処理部１２４で選択して出力する同期信号を、信号判別回路１２６に供給して、その判別結果のデータについても、ＣＰＵ１３１が判断するようにしてある。
ＣＰＵ１３１には、外部のコントローラ１９０からの指令が供給され、その指令に基づいて、画像切替え処理部１１２と同期信号切替え処理部１２４とでの切替え状態が設定される。切替え状態の詳細については後述する。また、ＣＰＵ１３１は、映像信号処理回路１１３や、この画像処理装置１００に接続された画像表示装置２０での表示処理の制御についても行う。
【００２４】
画像切替え処理部１１２で切替えられた映像信号が入力する映像信号処理回路１１３では、表示用の各種映像処理が行われる。映像中に各チャンネルの種類を示す文字や図形を重畳させる場合には、その重畳処理についても映像信号処理回路１１３で行われる。
【００２５】
［２．一実施の形態の水平移動処理構成例］
次に、図２を参照して、映像信号遅延吸収回路１１１での処理構成の詳細を説明する。図２は映像信号の遅延吸収処理構成であるが、同期信号遅延吸収回路１２３で行われる同期信号の遅延吸収処理についても、基本的に同じ構成である。図２では、上半分が左チャンネルの映像信号を処理する構成であり、下半分が右チャンネルの映像信号を処理する構成である。
【００２６】
映像信号遅延吸収回路１１１は、映像信号を一時記憶するメモリ２０１及び２１１を備え、それぞれのメモリ２０１及び２１１で、各入力端子１０１及び１０２に得られる映像信号を記憶する。メモリ２０１が左チャンネル用の映像信号を記憶するメモリであり、メモリ２１１が右チャンネル用の映像信号を記憶するメモリである。
【００２７】
メモリ２０１及び２１１への書き込みは、書き込みアドレスカウンタ２０２及び２１２が生成する書き込みアドレスにより制御される。メモリ２０１及び２１１からの読み出しは、読み出しアドレスカウンタ２０３及び２１３により制御される。
【００２８】
また、書き込みアドレスカウンタ２０２が出力するアドレスをサンプリングするアドレスサンプリング部２０７と、書き込みアドレスカウンタ２１１が出力する右アドレスをサンプリングするアドレスサンプリング部２１７とを備える。
アドレスサンプリング部２０７の出力は、加算器２０６に供給して、固定遅延設定回路２０５の出力を加算し、その加算信号を、比較器２０４に供給する。また、書き込みアドレスカウンタ２０２が出力する書き込みアドレスを比較器２０４に供給し、両アドレスを比較する。そして、比較器２０４でアドレスの一致が検出されると、読み出しアドレスカウンタ２０３に、イネーブル信号を供給する。
さらに、アドレスサンプリング部２０７の出力を、読み出しアドレスコントロール信号として、読み出しアドレスカウンタ２０３に供給する。
【００２９】
同様に、アドレスサンプリング部２１７の出力は、加算器２１６に供給して、固定遅延設定回路２１５の出力を加算し、その加算信号を、比較器２１４に供給する。また、書き込みアドレスカウンタ２１２が出力する書き込みアドレスを比較器２１４に供給し、両アドレスを比較する。そして、比較器２１４でアドレスの一致が検出されると、読み出しアドレスカウンタ２１３に、イネーブル信号を供給する。
さらに、アドレスサンプリング部２１７の出力を、読み出しアドレスコントロール信号として、読み出しアドレスカウンタ２１３に供給する。
【００３０】
図３は、図２に示した映像信号遅延吸収回路１１１での処理状態を示したタイミング図である。
図３（ａ）は、左チャンネルの入力映像信号を示し、図３（ｇ）は、右チャンネルの入力映像信号を示す。これらの入力映像信号の内で、「ＡＣＴＩＶＥ」と記載された区間が映像の区間であり、「ＢＬＫ」と記載された区間が、同期信号成分が配置されるブランキング期間である。
図３（ｂ）及び（ｈ）に示したように、それぞれの水平同期信号が検出され、図３（ｃ）及び（ｉ）に示したように、その同期信号の立ち上がりタイミングを示す同期パルスが生成される。
【００３１】
図３（ｃ）の同期パルスは、図３（ｄ）に示す書き込みアドレスと比較されて、アドレスサンプリング値が図３（ｅ）に示すように得られる。このサンプリング値には、固定遅延設定回路２１５で設定される固定遅延量が加算されて、図３（ｆ）に示す加算後アドレス値が得られる。図３の例では、固定値５１２を加算した例である。
【００３２】
図３（ｇ）に示す右チャンネルの入力映像信号についても、図３（ｉ）の同期パルスが、図３（ｊ）に示す書き込みアドレスと比較されて、アドレスサンプリング値が図３（ｋ）に示すように得られる。
そして、図３（ｌ）に示すように、書き込みアドレスと固定値加算アドレスとが等しくなるタイミングでパルスが生成される。
【００３３】
図３（ｍ）は、ＣＰＵ１３１からの位相変化量設定が“０”の場合の、左チャンネル用の加算器２０８の出力値であり、図３（ｎ）は、ＣＰＵ１３１からの位相変化量設定が“０”の場合の、右チャンネル用の加算器２１８の出力値である。
【００３４】
そして、図３（ｌ）のパルスのタイミングから、初期値を図３（ｍ）の加算器２０８の出力値として、図３（ｏ）に示すように左チャンネル用の読み出しアドレスのカウントを開始させる。この読み出しアドレスに基づいて、メモリ２０１から読み出しを行い、図３（ｐ）に示す左チャンネルの映像信号が得られる。
【００３５】
同様に、図３（ｌ）のパルスのタイミングから、初期値を図３（ｎ）の加算器２１８の出力値として、図３（ｑ）に示すように右チャンネル用の読み出しアドレスのカウントを開始させる。この読み出しアドレスに基づいて、メモリ２１１から読み出しを行い、図３（ｒ）に示す右チャンネルの映像信号が得られる。
この図３（ｐ）に示す左チャンネルの映像信号と、図３（ｒ）に示す右チャンネルの映像信号は、水平ラインの移動でタイミングが正確に一致した映像信号となっている。
【００３６】
［３．各表示状態の説明］
次に、画像処理装置１００の画像切替え処理部１１２での切替え処理により実現できる、画像表示装置２０での、左右のチャンネルの映像の表示状態の例について説明する。
図４のフローチャートは、コントローラ１９０から指示に基づいて、ＣＰＵ１３１が設定する表示モードの選択処理例を示したものである。
表示モードの設定処理があることをＣＰＵ１３１が判断すると（ステップＳ１１）、ＣＰＵ１３１は、その設定された表示モードが３Ｄ表示モードか否か判断する（ステップＳ１２）。表示装置で立体視を行うための３Ｄ表示モードである場合には、左チャンネル用映像信号と右チャンネル用映像信号とを、画像切替え処理部１１２及び同期切替え処理部１２４での切り替えで、１フレームごとに交互に表示させる（ステップＳ１３）。この１フレームごとの交互の表示は、フレームシーケンシャル方式で立体表示を行う場合の例である。ラインバイライン方式で立体表示を行う場合には、画像切替え処理部１１２及び同期切替え処理部１２４で、１水平ラインごとに左右のチャンネルの映像信号を切り替える。
【００３７】
図５は、この立体表示を行う状態の概要を示した図である。図５（ａ）は、フレームシーケンシャル方式で立体表示を行う場合の例である。この場合には、左チャンネル用映像（Ｌと示した映像）と、右チャンネル用映像（Ｒと表示した映像）とを、１フレーム周期で切り替えて表示させる。フレーム周波数をｆとしたとき、切り替え周期は、１／ｆとなる。
図５（ｂ）は、ラインバイライン方式で立体表示を行う場合の例である。この場合には、水平ラインの周波数をｆｈとしたとき、１／ｆｈの切り替え周期で、１水平ラインごとに左チャンネルの映像と右チャンネルの映像とが切り替わる。
【００３８】
図４のフローチャートの説明に戻ると、ステップＳ１２で３Ｄ表示モードでないと判断した場合には、左チャンネル又は右チャンネルだけの表示モードか否か判断する（ステップＳ１４）。ここで、何れか一方のチャンネルだけの表示モードであると判断した場合には、その指示されたチャンネルの映像だけを、画像切替え処理部１１２及び同期切替え処理部１２４で選択させて、表示させる（ステップＳ１５）。
【００３９】
図６（ａ）及び（ｂ）は、この一方のチャンネルの映像だけを表示させる状態の概要を示した図である。図６（ａ）は、左チャンネルの映像だけを表示させる例である。図６（ｂ）は、右チャンネルの映像だけを表示させる例である。
なお、図６では、表示中の映像のチャンネル種類を示すために、左チャンネル用映像を、「Ｌ」と示してあり、右チャンネル用映像を「Ｒ」と示してあるが、実際に表示させる際にも、このようなチャンネル種別が判る表示を行うようにしてもよい。即ち、例えば左チャンネルの映像については、「Ｌ」と文字で表示させて、右チャンネルの映像については、「Ｒ」と文字で表示させる。文字以外の図形で、同様にチャンネル種類が判る表示を行ってもよい。この文字や図形の重畳は、例えば、図１に示した構成で、ＣＰＵ１３１の制御で、映像信号処理回路１１３で実行される。
【００４０】
再び図４のフローチャートの説明に戻ると、ステップＳ１４で一方のチャンネルだけの表示モードでないと判断した場合には、動画の繰り返し交互表示モードか否か判断する（ステップＳ１６）。ここで、動画の繰り返し交互表示モードであると判断した場合には、指定された区間の動画を、左チャンネルの映像と、右チャンネルの映像とで交互に繰り返し表示させる（ステップＳ１７）。
【００４１】
図６（ｃ）は、この左チャンネルの映像と、右チャンネルの映像とを、指定した区間について繰り返し表示させる場合の例である。この例では、４フレームずつ各チャンネルの映像を表示させる例としてある。なお、繰り返し同じ区間を表示させるのではなく、交互に左右のチャンネルの映像を所定フレーム期間表示させたのち、動画の次の区間の繰り返し交互表示に進むようにしてもよい。
この例の場合にも、表示中の映像のチャンネル種類を示すために、左チャンネル用映像を、「Ｌ」と示してあり、右チャンネル用映像を「Ｒ」と示してあるが、実際に表示させる際にも、このようなチャンネル種別が判る表示を行うようにしてもよい。
【００４２】
再び図４のフローチャートの説明に戻ると、ステップＳ１６で動画の表示モードでないと判断した場合には、静止画の交互表示モードか否か判断する（ステップＳ１８）。ここで、静止画の交互表示モードであると判断した場合には、指定された１フレームの静止画を、左チャンネルの映像と、右チャンネルの映像とで交互に繰り返し表示させる（ステップＳ１９）。このときには、例えば左チャンネルの静止画を、所定フレーム期間連続して表示させ、その後、右チャンネルの静止画を、所定フレーム期間連続して表示させる。
この例の場合にも、「Ｌ」や「Ｒ」などのチャンネル種別が判る表示を行うのが好ましい。
【００４３】
ここで、図７を参照して、ステップＳ１７での動画の交互表示の２つの例を説明する。
図７（ａ）に示した例１の場合には、例えば表示期間を４フレーム期間として、左チャンネルのあるタイミングの映像Ｌ２が表示された状態で、ユーザ操作などでトリガーしたとする。このとき、繰り返し表示させる先頭位置はフレームＬ２となり、図２に示したメモリ２０１は、フレーム位置Ｌ２からＬ５までの４フレームの左チャンネルの映像信号を記憶する。このとき同時に、右チャンネルの同じフレーム位置Ｒ２からＲ５までの４フレームの映像信号をメモリ２１１が記憶する。
【００４４】
そして、メモリ２０１に記憶された左チャンネルの映像の４フレーム出力と、メモリ２１１に記憶された右チャンネルの４フレーム出力とを繰り返し、同期して画像切り替え処理部１１２での切り替えを連動して行う。さらに、同期信号切り替え処理部１２４での切り替えについても連動して行う。このとき、繰り返し回数を指定するようにしてもよい。
【００４５】
図７（ｂ）に示した例２の場合には、例えば表示期間を４フレーム期間として、右チャンネルのあるタイミングの映像Ｒ２が表示された状態で、ユーザ操作などでトリガーしたとする。このとき、繰り返し表示させる先頭位置はフレームＲ２となり、図２に示したメモリ２１１は、フレーム位置Ｒ２からＲ５までの４フレームの右チャンネルの映像信号を記憶する。このとき同時に、左チャンネルの同じフレーム位置Ｌ２からＬ５までの４フレームの映像信号をメモリ２０１が記憶する。
【００４６】
そして、メモリ２１１に記憶された右チャンネルの映像の４フレーム出力と、メモリ２０１に記憶された左チャンネルの４フレーム出力とを繰り返し、同期して画像切り替え処理部１１２での切り替えを連動して行う。さらに、同期信号切り替え処理部１２４での切り替えについても連動して行う。
【００４７】
このようにして左右のチャンネルの映像を、複数フレームずつ繰り返し交互に同じ表示装置の画面上に表示させることで、左右のチャンネルの映像の比較が良好に行える。特に、左右の映像が切り替わる際に、画ミュート処理が行われないため、左チャンネルの映像と右チャンネルの映像とが、黒画像が挿入されることなく連続して表示され、両チャンネルの映像の比較が良好に行えるようになる。
【００４８】
そして、その比較で左右の映像にタイミングや表示位置のずれなどがあった場合には、図２に示した構成により水平シフト処理を行うことで、両チャンネルの映像を比較しながら良好に調整が行える効果を有する。なお、図２の構成では、水平方向のシフト処理を行う構成を示したが、同様の処理で垂直方向のシフト処理が行えるようにしてもよい。
【００４９】
なお、ここまで示した実施の形態では、映像信号処理を行う専用の回路を構成させるのではなく、例えば各種データ処理を行うコンピュータ装置（情報処理装置）に、本例の映像処理部に相当する映像処理（画像処理）を行うボードやカードなどを装着させる。そして、そのコンピュータ装置に実装させて、演算処理手段で実行するプログラム（ソフトウェア）で、対応した表示処理を行うようにしてもよい。
【符号の説明】
【００５０】
１０…画像処理装置、１１…第１入力端子、１２…第２入力端子、１３…映像切替え処理部、１４…ＣＰＵ、１５…映像信号処理回路、１６…同期分離回路、１７…信号種別判別回路、２０…画像表示装置、１００…画像処理装置、１０１…第１入力端子、１０２…第２入力端子、１１１…映像信号遅延吸収回路、１１２…画像切替え処理部、１１３…映像信号処理回路、１１４…映像出力端子、１２１…同期分離回路、１２２…同期分離回路、１２３…同期信号遅延吸収回路、１２４…同期切替え処理部、１２５…同期信号出力端子、１２６…信号判別回路、１２７…遅延量判別回路、１３１…ＣＰＵ、１９０…コントローラ、２０１…メモリ、２０２…書き込みアドレスカウンタ、２０３…読み出しアドレスカウンタ、２０４…比較器、２０５…固定遅延設定回路、２０６…加算器、２０７…アドレスサンプリング部、２１１…メモリ、２１２…書き込みアドレスカウンタ、２１３…読み出しアドレスカウンタ、２１４…比較器、２１５…固定遅延設定回路、２１６…加算器、２１７…アドレスサンプリング部
【図１】
0005540848.tif 000002
【図２】
0005540848.tif 000003
【図３】
0005540848.tif 000004
【図４】
0005540848.tif 000005
【図５】
0005540848.tif 000006
【図６】
0005540848.tif 000007
【図７】
0005540848.tif 000008
【図８】
0005540848.tif 000009
【図９】
0005540848.tif 000010